(57)【要約】光ディスク等の光記録媒体において、トラッキングを行いながらＢＣＡ領域のバーコード状のＢＣＡマークを再生できるとともに、ＢＣＡマークの改ざんを困難にする。この光記録媒体１００は、第１のトラックピッチｄ２のトラックを含む第１の領域１０２、および、第２のトラックピッチｄ１のトラックを含む第２の領域１０１を備え、前記第２の領域には、バーコード状のマーク１０４が記録されており、前記第２のトラックピッチは、前記第１のトラックピッチよりも広い。
2005518055.tif 000002
【特許請求の範囲】
【請求項１】
第１のトラックピッチのトラックを含む第１の領域、および、第２のトラックピッチのトラックを含む第２の領域を備えた光記録媒体であって、
前記第２の領域には、バーコード状のマークが記録されており、
前記第２のトラックピッチは、前記第１のトラックピッチよりも広い、光記録媒体。
【請求項２】
前記バーコード状のマークは、前記第２の領域の複数のトラックを横断して半径方向に延在する線状のマークが周方向に配列されて形成されている、請求項１に記載の光記録媒体。
【請求項３】
前記第２の領域には、前記トラックに沿って、プリピット又はプリグルーブが形成されている、請求項１に記載の光記録媒体。
【請求項４】
前記第２の領域は、情報を記録可能な膜を有する、請求項１から３のいずれか一項に記載の光記録媒体。
【請求項５】
情報を記録する前記膜は、相変化記録膜であって、前記マークは、前記相変化記録膜の結晶状態およびアモルファス状態を利用したパターンで形成されており、
前記第２のトラックピッチは、前記第１のトラックピッチの５倍以上広い、請求項４に記載の光記録媒体。
【請求項６】
前記第１の領域と前記第２の領域の間に、トラックピッチが変化するガード領域をさらに備えた、請求項１から５のいずれか一項に記載の光記録媒体。
【請求項７】
前記ガード領域では、前記第１の領域のトラックと、前記第２の領域のトラックとが連続している、請求項６に記載の光記録媒体。
【請求項８】
前記ガード領域では、前記第１の領域のトラックと、前記第２の領域のトラックとが不連続である、請求項６に記載の光記録媒体。
【請求項９】
前記第１の領域および前記第２の領域の各々には、前記トラックに沿って、連続したプリピット又はプリグルーブが形成されている、請求項７又は８に記載の光記録媒体。
【請求項１０】
所定の情報が記録された第１のトラックピッチのトラックを含む第１の領域、および、第２のトラックピッチのトラックを含む第２の領域を備えた光記録媒体であって、前記第２の領域には、前記トラックに沿ってプリピット又はプリグルーブが形成され、且つ、該光記録媒体を識別するマークが記録された光記録媒体から情報を再生する方法であって、
前記プリピット又は前記プリグルーブをトラッキングして、前記第２の領域から前記マークを読み取り、第１のマーク情報を取得するステップと、
オフトラッキングで前記第２の領域から前記マークを読み取り、第２のマーク情報を取得するステップと、
前記第１のマーク情報と、前記第２のマーク情報とを比較し、前記第１のマーク情報と、前記第２のマーク情報とが同じ情報であるか否かを判断するステップと、
前記判断の結果、前記第１のマーク情報と前記第２のマーク情報とが同じである場合に、前記所定の情報を再生するステップと
を含む、光記録媒体の再生方法。
【発明の詳細な説明】
【技術分野】
【０００１】
本発明は、光ディスク等の光記録媒体に関し、より具体的には、特にバーコード状のマークが記録された光記録媒体に関する。
【背景技術】
【０００２】
従来より、光ディスクにおいては、シリアル番号やロット番号などをバーコード化して光ディスク上に記録し、正規な製品であるか否かを識別をする手法が採用されている。
【０００３】
特にＤＶＤにおいては、ＢＣＡ（バースト  カッティング  エリア）にバーコード状にマーク（以下、「ＢＣＡマーク」と称する）を記録し、光ディスクを再生するドライブに備えられた光ヘッドでＢＣＡマークを読み取る方式が提案され、実用化されている。
【発明の開示】
【発明が解決しようとする課題】
【０００４】
ＤＶＤでは、再生専用の情報が記録された再生専用領域や、記録再生が可能な記録再生領域と同じトラックピッチで、ＢＣＡ領域にもプリピットやプリグルーブを形成しており、特に追記型や記録再生タイプのディスクでは、その記録再生ドライブによって、ＢＣＡ領域のＢＣＡマークが消去され、または、改ざんされる危険がある。特に海賊盤作成等のために改ざんが行われると、正規品と海賊盤との識別が不可能になる。
【０００５】
また、記録されているバーコード状のＢＣＡマークを検出し、再生するにあたり、ＢＣＡマークの記録領域であるＢＣＡ領域にプリグルーブやプリピットが設けられていない場合、いわゆるミラーの場合には、光ヘッドはトラッキングを行うことができない。この場合には、装置の光ヘッドを移動させる際のドライブ装置の精度でヘッドの位置を決定することになる。しかし、一般のユーザは様々なドライブ装置を利用するので、ドライブ装置の誤差を考慮した構成を採用しなくてはならない。
【０００６】
本発明の目的は、光ディスク等の光記録媒体において、トラッキングを行いながらＢＣＡ領域のバーコード状のＢＣＡマークを再生できるとともに、ＢＣＡマークの改ざんを困難にすることである。
【課題を解決するための手段】
【０００７】
この課題を解決するため、本発明の光記録媒体は、ＢＣＡマーク等のバーコード状のマークが記録されるＢＣＡ領域に、プリピットまたはプリグルーブのトラックを設け、そのトラックピッチを実際のユーザーデータやディスクの情報を記録する再生専用領域あるいは記録再生領域のトラックピッチより、広く設定することを特徴とする。これにより、ＢＣＡ領域のバーコード状のＢＣＡマークの改ざんを困難にできる。バーコード領域にプリピットまたはプリグルーブを形成することで、ＢＣＡ領域のトラッキング動作が可能になる。また、本発明に係る光記録媒体は、トラックピッチが異なるＢＣＡ領域とそれに隣接する再生専用領域あるいは記録再生領域の間で、トラックピッチを切り替えるガード領域を設けることを特徴とする。より具体的には、以下のとおりである。
【０００８】
すなわち、本発明の光記録媒体は、第１のトラックピッチのトラックを含む第１の領域、および、第２のトラックピッチのトラックを含む第２の領域を備えた光記録媒体であって、前記第２の領域には、該光記録媒体を識別するマークが記録されており、前記第２のトラックピッチは、前記第１のトラックピッチよりも広い。これにより上記目的を達成できる。
【０００９】
また、前記バーコード状のマークは、前記第２の領域の複数のトラックを横断して半径方向に延在する線状のマークが周方向に配列されて形成されていることが好ましい。
【００１０】
前記第２の領域は、前記トラックに沿って、プリピット又はプリグルーブが形成されていてもよい。
【００１１】
前記第２の領域が、情報を記録する膜を有していてもよい。
【００１２】
情報を記録する前記膜は、相変化記録膜であって、前記マークは、相変化記録膜の結晶状態およびアモルファス状態を利用したパターンで形成されており、前記第２のトラックピッチは、前記第１のトラックピッチの５倍以上広くてもよい。
【００１３】
前記第１の領域と前記第２の領域の間に、トラックピッチが変化するガード領域をさらに備えていてもよい。
【００１４】
前記ガード領域では、前記第１の領域のトラックのグルーブと、前記第２の領域のトラックのグルーブとが連続的に接続されていてもよい。
【００１５】
前記ガード領域では、前記第１の領域のトラックのグルーブと、前記第２の領域のトラックのグルーブとが不連続であってもよい。
【００１６】
前記第１の領域および前記第２の領域の各々には、前記トラックに沿って、連続したプリピット又はプリグルーブが形成されていてもよい。
【００１７】
本発明による光記録媒体の再生方法は、所定の情報が記録された第１のトラックピッチのトラックを含む第１の領域、および、第２のトラックピッチのトラックを含む第２の領域を備えた光記録媒体であって、前記第２の領域には、前記トラックに沿ってプリピット又はプリグルーブが形成され、且つ、該光記録媒体を識別するマークが記録された光記録媒体から情報を再生する方法であって、
前記プリピット又は前記プリグルーブをトラッキングして、前記マークを読み取り、第１のマーク情報を取得するステップと、
オフトラッキングにより前記マークを読み取り、第２のマーク情報を取得するステップと、
前記第１のマーク情報と、前記第２のマーク情報とを比較し、前記第１のマーク情報と、前記第２のマーク情報とが同じ情報であるか否かを判断するステップと、
判断の結果、前記第１のマーク情報と前記第２のマーク情報とが同じである場合に、前記所定の情報を再生するステップと
を含む。これにより上記目的が達成される。
【発明の効果】
【００１８】
本発明に係る光記録媒体によれば、ＢＣＡ領域を構成するトラックのトラックピッチを再生専用領域又は記録再生領域のトラックピッチより広く、好ましくは５倍以上広く設定している。これにより、光ディスク等の光記録媒体において、トラッキングを行いながらＢＣＡ領域のバーコード状のＢＣＡマークを再生できるとともに、ＢＣＡマークの改ざんを困難にすることができる。
【発明を実施するための最良の形態】
【００１９】
以下、添付の図面を参照して、本発明の実施の形態を説明する。本明細書では、以下の順序で本発明を説明する。まず、（１）光情報記録媒体である光ディスクの概要を説明する。次に、その光ディスクの作製工程、具体的には、（２）ディスク原盤の作製工程、（３）ディスク原盤を用いた光ディスクの作製工程、（４）バーストカッティングエリア（ＢＣＡ；Burst Cutting Area）マークの形成工程を説明する。そして最後に、（５）光ディスクの再生方法を説明する。
【００２０】
（１）光ディスクの概要
図１は、本実施の形態による光ディスク１００の上面図である。光ディスク１００は、直径約１２０ｍｍ、内径約１５ｍｍのドーナツ型の円盤であり、厚さは約１．２ｍｍである。光ディスク１００の情報記録面には、厚み約０．１ｍｍの透明層が設けられている。この透明層を通して、開口数約０．８５の光ヘッドから波長約４０５ｎｍのレーザを照射することにより、光ディスク１００に情報を記録し、光ディスク１００に記録された情報を再生できる。より具体的には、光ディスク１００は、相変化記録膜を用いて情報を記録および再生する録再型の光ディスクである。
【００２１】
光ディスク１００は、情報が記録される情報記録領域として、内周から順にＢＣＡ領域１０１、再生専用領域１０２、および、記録再生領域１０３の３つの領域を備えている。また、ＢＣＡ領域１０１と再生専用領域１０２の間には、トラックピッチを切り替える第１のガード領域１０５が設けられ、再生専用領域１０２と記録再生領域１０３の間には、同様にトラックピッチを切り替える第２のガード領域１０６が設けられている。
【００２２】
情報記録領域としてのＢＣＡ領域１０１、再生専用領域１０２、および、記録再生領域１０３には、相変化記録膜が設けられている。相変化記録膜は、光ヘッドからレーザ光を照射することによって、結晶状態とアモルファス状態を可逆的に転移させることができる。
【００２３】
また、ＢＣＡ領域１０１、再生専用領域１０２、および、記録再生領域１０３には、光ディスク１００の作製時に設けられた溝（プリグルーブ）を有する。プリグルーブのトラックピッチは、それぞれ、ＢＣＡ領域１０１のトラックピッチｄ１が２．０μｍ、再生専用領域１０２のトラックピッチｄ２が０．３５μｍ、記録再生領域１０３のトラックピッチが０．３２μｍである。また、上述した光ヘッドおよびレーザを用いる場合には、光ヘッドの開口数とレーザの波長との違いから計算して、トラックピッチを約０．４μｍ以下に設定することが好ましい。なお、現在市販されているＤＶＤでは、波長６５０ｎｍのレーザを用いる開口数０．６０の光ヘッドに対し、トラックピッチは、０．７４μｍに設定されている。
【００２４】
以下、領域１０１〜１０３、１０５、１０６を説明する。
まずＢＣＡ領域１０１は、中心から半径２１ｍｍ〜２２ｍｍの範囲に設けられ、ＢＣＡマーク１０４が記録されている。ＢＣＡマーク１０４は、シリアル番号やロット番号などをバーコード化したデータであり、光ディスク１００を識別するために、また、不正コピーを防止するために利用される情報である。ＢＣＡマーク１０４は、相変化記録膜の結晶状態の領域とアモルファス状態の領域との２つの領域を用いてバーコード状のマークが形成されている。図９に示すように、バーコード状のマークは、ＢＣＡ領域１０１の複数のトラックを横断して半径方向に延在する長方形状のマークが周方向に配列されて形成されている。このバーコード状のマークは、トラックピッチよりも十分大きく、ＢＣＡ領域１０１の全体を半径方向にわたって覆っている。
【００２５】
再生専用領域１０２は、中心から半径２２．４ｍｍ〜半径２３．２ｍｍの範囲に設けられており、ディスク情報が記録されている。再生専用領域１０２では、再生専用データを記録するために、トラックに沿って、ウォブルさせたプリグルーブを形成している。すなわち、記録すべき再生専用データは、プリグルーブに形成されることになる。再生専用領域１０２からは、ディスク情報の再生のみが行われ、他の情報は記録されない。なお、再生専用１０２領域において、プリグルーブに代えて、再生信号に応じて変調されたプリピットを用いることもできる。さらに、再生専用領域１０２は、再生専用目的に限られず、追記あるいは記録再生が行われる領域を含んでもよい。
【００２６】
記録再生領域１０３は、中心から半径２３．２ｍｍ〜半径５８．６ｍｍの範囲に設けられている。ユーザは、記録再生領域１０３に対して情報を記録し、また、そこから情報を再生できる。記録再生領域１０３では、アドレス情報を記録するために、トラックに沿って、ウォブルさせたプリグルーブを形成している。ユーザのデータは、トラックに記録される。なお、記録再生領域１０３においても、プリグルーブのみならず、プリピットも用いてアドレス情報を記録してもよい。
【００２７】
第１のガード領域１０５は、ＢＣＡ領域１０１のトラックと再生専用領域１０２のトラックとを連続的に接続する。より具体的には、第１のガード領域１０５のトラックピッチは、第１のガード領域１０５の内部において２．０μｍから０．３５μｍに連続的に変化しており、これにより、ＢＣＡ領域１０１のトラックピッチ２．０μｍのトラックと、再生専用領域１０２のトラックピッチ０．３５μｍのトラックとを接続する。
【００２８】
第２のガード領域１０６も同様に、０．３５μｍから０．３２μｍに連続的に変化し、これにより、再生専用領域１０２のトラックピッチ０．３５μｍのトラックと、記録再生領域１０３のトラックピッチ０．３２μｍのトラックとを接続する。
【００２９】
図３Ａから図３Ｃを参照して、第１のガード領域１０５を具体的に説明する。図３Ａから図３Ｃは、第１のガード領域１０５の構成を示す図である。図３Ａは、トラックピッチ切り替え部分の第１の例である。具体的には、ＢＣＡ領域１０１から再生専用領域１０２へと、グルーブが連続しており、トラックピッチを連続的に切り替えた場合の例である。
【００３０】
図３Ａに示す第１のガード領域１０５は、トラックピッチの連続的な変更量が大きく、装置によってはそのような第１のガード領域１０５を製造できない場合がある。そこで、図３Ｂおよび図３Ｃに示すような、別の構成を採用することもできる。図３Ｂは、トラックピッチ切り替え部分の第２の例である。具体的には、第１のガード領域１０５では、ＢＣＡ領域１０１のトラックピッチのままトラックが形成され、中間位置で一旦途切れる。そして、ほぼ同じ場所から、再生専用領域１０２のトラックピッチで再度トラックが形成されている。このような第２の例によっても、ＢＣＡ領域１０１および再生専用領域１０２でのトラックピッチの均一性を確保できる。続いて図３Ｃは、トラックピッチ切り替え部分の第３の例である。具体的には、第１のガード領域１０５では、ＢＣＡ領域１０１のトラックピッチのままトラックが形成され、一旦途切れる。そして、所定の間隔のミラー部が設けられ、その後、再生専用領域１０２のトラックピッチで再度トラックが形成されている。図３Ｂおよび図３Ｃのような構成は、トラックピッチの変更を連続的に行う必要がないため、通常の製造装置であれば、このような光ディスクを製造できる。なお、図３Ｂ及び図３Ｃの場合にはそれぞれの領域の間でグルーブは不連続となる。
【００３１】
さらに、図１と、図９から図１３を参照して、本発明の特徴を説明する。図９は、本発明に係る光ディスク１００において、ＢＣＡ領域１０１のバーコード状のＢＣＡマーク１０４を示す概略図である。図１０は、ＢＣＡ領域１０１のＢＣＡマーク１０４の再生時における、トラッキング時とオフトラッキング時の光ヘッドの軌跡１１２ａ、１１２ｂを示す概略図である。図１１は、図９の光ディスクのＢＣＡ領域１０１のＢＣＡマーク１０４が改ざんされた場合の再生時における、トラッキング時とオフトラッキング時の光ヘッドの軌跡１１２ａ、１１２ｂを示す概略図である。図１２は、参考例の光記録媒体において、ＢＣＡ領域１０１のバーコード状のＢＣＡマーク１０４を示す概略図である。図１３は、図１２の光ディスクのＢＣＡ領域１０１のＢＣＡマーク１０４が改ざんされた場合の再生時における、トラッキング時とオフトラッキング時の光ヘッドの軌跡１１２ａ、１１２ｂを示す概略図である。
【００３２】
この光ディスク１００には相変化記録膜が設けられており、相変化記録膜を利用して、情報が記録できる。ここで留意すべきは、ＢＣＡ領域１０１の相変化記録膜に対してレーザを照射すれば、任意の形状のＢＣＡマーク１０４が形成されることである。すなわち、ＢＣＡマーク１０４は、改ざんされる可能性がある。これでは、ＢＣＡマーク１０４が不正コピーを防止するための識別情報として機能しないことになる。そこで、ＢＣＡ領域１０１におけるＢＣＡマーク１０４の改ざんについて詳細に検討する。
【００３３】
まず、図１０に示すように、通常、トラッキングにより、光ヘッド６６はグルーブ１１０に沿って軌跡１１２ａを描き、ＢＣＡ領域のＢＣＡマークを読み取っている。一方、トラッキングによりグルーブ１１０に沿って改ざんされた場合、ＢＣＡマークはグルーブ１１０に沿って不正ＢＣＡマーク１１４に書換えられる。そこで、ＢＣＡ領域１０１の全体にわたって改ざんされるか否かについて考える。特に、光ヘッドの記録再生スポット径とトラックピッチとの関係を考慮すると、図１２及び図１３に示すように、ＢＣＡ領域１０１のトラックピッチｄ３が狭い場合には、トラッキングによりトラックのグルーブ１１０に沿って改ざんされると、各トラックの不正ＢＣＡマーク１１４部分が半径方向にも連続する場合がある。この場合、ＢＣＡ領域１０１の全体にわたって、正規のディスクに予め記録されていたＢＣＡマークと同様の形状を有する不正ＢＣＡマーク１１４が形成される可能性がある。
【００３４】
一方、図９に示すように、この光ディスク１００では、再生専用領域１０２または記録再生領域１０３のトラックピッチｄ２に対して、ＢＣＡ領域１０１のトラックピッチｄ１を数倍（例えば、５倍）以上広くしている。これによって、図１１に示すように、トラッキングによりグルーブ１１０に沿ってＢＣＡ領域１０１の全体を改ざんしようとしても、ＢＣＡ領域１０１のトラックピッチが十分広いので、各トラックの不正ＢＣＡマーク１１４がつながることはなく、オリジナルのＢＣＡマーク１０４がランド１２０部分に残存する。これによって、改ざんによっては、トラックピッチよりも十分大きいＢＣＡマークを形成できなくなる。この光ディスク１００では、ＢＣＡ領域のトラックピッチｄ１を再生専用領域１０２等のトラックピッチｄ２より十分大きくすることにより、ＢＣＡ領域１０１のバーコード状のＢＣＡマーク１０４の全部を一様に改ざんすることが困難になる。なお、光ディスク１００は、相変化記録膜を用いた録再型の光ディスクであるとしているが、これは、光ヘッドによって状態を変化させることができるディスク、例えば、追記型のディスクにも適用でき、情報の不正な読み取りを防止できる。
【００３５】
（２）ディスク原盤の作製工程
図２Ａから図２Ｅは、光ディスク１００（図１）の原盤作製の各工程を示す図である。
（ａ）まず、ガラス盤２０１の面上に、感光材料（ポジ型フォトレジスト）を均一に塗布する（図２Ａ）。
（ｂ）次に、波長２４８ｎｍの遠紫外線レーザを照射するレーザ記録装置（ＬＢＲ）２０２を用いて、プリグルーブパターンを露光する（図２Ｂ）。レーザ記録装置２０２は、所望のプリグルーブパターンに応じた信号を発生するフォーマッタ（図示せず）からの信号に基づいて、プリグルーブパターンを形成する。
【００３６】
ここで、レーザ記録装置２０２をより詳しく説明する。レーザ記録装置２０２は、半径方向の移動量を検出するエンコーダ（図示せず）を備えている。レーザ記録装置２０２の制御回路（図示せず）は、予め分かっているそのパルス間隔と、実際に検出されるエンコーダからのパルス数とに基づいて移動量を計算できる。さらに、制御回路は、設定されたトラックピッチに応じて、所定の時間内で検出されるべきパルス数の設定値とを一致させるようにその移動量を制御する。
【００３７】
レーザ記録装置２０２は、ＢＣＡ領域１０１（図１）の内周半径もしくはその内側から、ＢＣＡ領域１０１のトラックピッチ（２．０μｍ）に相当するパルス数の第１の設定値でグルーブの露光を開始する。露光位置が第１のガード領域１０５（図１）に入ると、レーザ記録装置２０２は、再生専用領域１０２（図１）のトラックピッチ（０．３５μｍ）に相当するパルス数の第２の設定値に切り替える。これにより、トラックピッチは第１のガード領域１０５内において変化させることができ、かつ、トラックが途切れることもない。その後の再生専用領域１０２は、第２の設定値のまま露光し、再生専用領域１０２の一様なトラックピッチを得ることができる。再生専用領域１０２（図１）のトラックピッチは、０．３５μｍであるのに対し、ＢＣＡ領域１０１のトラックピッチは２．０μｍである。すなわち後者は前者の５倍以上広い。これにより、ＢＣＡ領域１０１のバーコード状のマークの全部分を一様に改ざんすることが困難になる。なお、第１の設定値を、連続的に減少または増加させて、第２の設定値へ切り替えてもよい。これにより、第１のガード領域１０５のトラックピッチは、連続的に変化する。
【００３８】
（ｃ）同様に、第２のガード領域１０６（図１）では、レーザ記録装置２０２は、再生専用領域１０２のトラックピッチに相当するパルス数の第２の設定値から、記録再生領域１０３のトラックピッチ（０．３２μｍ）に相当するパルス数の第３の設定値に切り替える。これにより、トラックピッチを第２のガード領域１０６内においてトラックが途切れることなく変化させ、その後の記録再生領域１０３を所定のトラックピッチで一様に露光できる。露光は、記録再生領域１０３の外周半径まで達したところで、終了する。以上の工程により、所望のグルーブパターンを有する潜像２０３が、ガラス盤２０１に記録される（図２Ｃ）。
【００３９】
（ｄ）その後、得られた原盤を回転させながら現像ノズル２０４から現像液を吐出させて現像する（図２Ｄ）。
（ｅ）その後乾燥すれば、所望のグルーブパターン２０５を備えたディスク原盤２０６を得ることができる（図２Ｅ）。
【００４０】
（３）ディスク原盤を用いた光ディスクの作製工程
図４Ａ〜図４Ｆおよび図５Ａ〜図５Ｆは、ディスク原盤から光ディスクを作製する工程を示す図である。図４Ａ〜図４Ｆは、ディスク原盤からスタンパの作成工程を説明する図である。図５Ａ〜図５Ｆは、スタンパから光ディスクの作成工程を説明する図である。
【００４１】
まず図４Ａから図４Ｆを参照して説明する。
（ａ）ディスク原盤２０６（図４Ａ）に、スパッタ法によりニッケル膜４０１を形成する（図４Ｂ）。
（ｂ）そして、ニッケル膜４０１を電極としてニッケルメッキを行い、原盤上にニッケルの薄板４０２を作成する（図４Ｃ）。
（ｃ）その後、ニッケルの薄板４０２を剥離してレジスト除去を行うと、所望のグルーブパターンが転写された厚さ約０．３ｍｍのニッケル薄板原盤（以下「ファーザ」と称する）４０３が得られる（図４Ｄ）。
【００４２】
（ｄ）ファーザ４０３に再度ニッケルメッキを行い、同様に剥離を行うと（図４Ｅ）、ファーザのグルーブパターンが転写された厚さ略０．３ｍｍのニッケル薄板（以下、「マザー」と称する）４０４が得られる（図４Ｆ）。マザー４０４の裏面を研磨した後、所望の形状に打ち抜くことで得られるのが、所望のグルーブパターンを有する金型（スタンパ）４０５である。
【００４３】
図５Ａ〜図５Ｆを参照して、続く工程を説明する。
（ｅ）スタンパ４０５を射出成型機に取り付け、ポリカーボネイトを材料として射出成型を行うと、所望のグルーブパターンが転写された厚さ略１．１ｍｍの成型基板５０１が作製される（図５Ａ）。
（ｆ）そして、成型基板５０１のパターン転写面に、スパッタ法によって、Ｇｅ−Ｓｂ−Ｔｅを主成分とする相変化記録膜５０２を積層する（図５Ｂ）。
【００４４】
（ｇ）ここで、厚み約９０μｍのポリカーボネイトシート５０３を用意して、スピンコータに載置した後、紫外線硬化樹脂５０４を滴下する（図５Ｃ）。
（ｈ）相変化記録膜形成された面がポリカーボネイトシートと対面するように基板を重ねた後、スピンコータを回転させて余分な紫外線硬化樹脂を振り切り、紫外線硬化樹脂の厚みが略１０μｍとなったところで回転を止める（図５Ｄ）。
（ｉ）そして、紫外線源５０５から紫外線を照射して紫外線硬化樹脂５０４を硬化をさせる（図５Ｅ）。
【００４５】
（ｊ）以上の工程により、ディスク原盤２０６（図４Ａ）から、記録再生を行う透明なカバー層を有する光ディスク５０６を形成できる（図５Ｆ）。
【００４６】
（４）ＢＣＡマークの形成工程
光ディスクの相変化記録膜５０２は、スパッタ法により形成されたままの状態では、全面がアモルファス状態であり、一般的に初期化と呼ばれる情報記録領域を結晶化させる処理が必要である。そこで、波長約６５０ｎｍ、または、それ以上の高出力レーザを搭載した初期化装置を用いて、光ディスクの情報記録領域１０１〜１０３（図１）を結晶化させる。ディスクを回転させながら通常全面を均一な光で走査を行うと、初期化を均一に行うことができる。
【００４７】
図１を参照して、ＢＣＡ領域１０１では、記録すべきバーコードパターン（例えばシリアルナンバやコピー防止のための情報）に応じて、レーザ光のオン・オフを繰り返す。ディスク上に初期化されないアモルファス状態の部分を残すことにより、結晶状態とアモルファス状態とがバーコード状のパターンが、ＢＣＡマーク１０４として記録される。このようにして、ＢＣＡマーク１０４を含む光ディスク１００が作製される。
【００４８】
なお、本発明の実施の形態では、ＢＣＡマーク１０４を形成する初期化の処理を、カバー層の形成後に行うとした。しかし、カバー層形成前に先に初期化処理を行い、同時にＢＣＡマーク１０４を形成し、その後カバー層を形成して光ディスクを完成させてもよい。
【００４９】
（５）光ディスクの再生方法
図６は、再生装置６０の構成を示すブロック図である。再生装置６０のターンテーブルに載置された光ディスク１００は、回転駆動部６１によって回転する。光ヘッド６６は、光ディスク１００との位置関係に対応する信号を制御部６３へ送る。制御部６３は、上記信号を増幅もしくは演算して、光ヘッド６６または光ヘッド６６内の対物レンズを微動させる。駆動部６２は、光ヘッド６６を駆動する。また、対物レンズ駆動部６５は、光ヘッド６６内の対物レンズを駆動する。光ヘッド６６からの信号と、駆動部６２および／または駆動部６５によって、制御部６３は、光ディスク１００に対してフォーカスサーボとトラッキングサーボを行い、情報を読み出す。なお、同様の構成により書き込みまたは消去を行うこともできる。接続部６４は、電源または外部電源との接続である。ここから制御部６３、光ヘッド６６の駆動部６２、回転駆動部６１および対物レンズ駆動部６５へ電力を供給する。
【００５０】
再生の手順をより具体的に説明する。光ディスク１００がターンテーブル（図示せず）に載置されると、再生装置６０は、開口数０．８５の光ヘッド６６を光ディスク１００に接近させ、波長４０５ｎｍのレーザ光を照射する。光ディスク１００に照射され、反射されたレーザ光は、再び光ヘッド６６において検出され、制御部６３はフォーカスサーボを行う。制御部６３は、プッシュプルトラッキング信号を検出して、読み出すべき情報が記録された光ディスク１００上の位置をトラッキングして、情報を再生する。
【００５１】
図７Ａは、記録再生領域１０３（図１）のトラッキングエラー信号の再生波形を示す。再生波形は、正弦波状であることが理解される。一方、図７Ｂは、ＢＣＡマーク１０４（図１）が記録されているＢＣＡ領域１０１（図１）の再生波形を示す。ＢＣＡ領域１０１（図１）の再生波形は、トラックピッチ、または、光ヘッド６６（図６）のスポット７０の径に対して、記録されているグルーブ幅が狭いため、信号が正弦波にはならない。しかしながら、グルーブを横切る際のトラッキングエラー信号は十分急峻であり、トラッキングサーボによってグルーブを追従することは可能である。
【００５２】
図８（ａ）〜（ｃ）は、トラッキングサーボが機能しているときに、光ヘッド６６（図６）で検出される反射光の強度変化を示す図である。ＢＣＡ領域１０１（図１）においては、相変化記録膜のアモルファス部分の反射率は、結晶部分の反射率に比べて小さい（例えば半分以下である）ため、ＢＣＡ領域１０１において検出される反射光の強度は、ＢＣＡマークのパターンに応じて変調する。そこで所定の閾値を設け、検出した反射強度が、閾値よりも大きいか小さいかを判断することにより、再生装置６０（図６）は、ＢＣＡマーク１０４（図１）のパターンか否かを認識し、そのパターンから情報を読み出すことができる。なお、トラッキングエラー信号が反射強度に影響されるのを防ぐため、実際のトラッキングサーボには、反射強度で正規化したトラッキングエラー信号を用いるのが好ましい。
【００５３】
この光ディスク１００のＢＣＡ領域１０１のＢＣＡマーク１０４（図１）を読み取る方法について検討する。まず、このＢＣＡマーク１０４は、上述のようにトラッキングして読み取ることができる。さらに、本発明者は、このＢＣＡマーク１０４がＢＣＡ領域１０１の複数のトラックを横断して半径方向の広い範囲にわたって形成されているので、光ヘッド６６（図６）を確実にＢＣＡ領域１０１（図１）内に位置させることで読み取ることができることを見出した。すなわち、トラッキングサーボを働かせていない状態（オフトラッキング）であっても、制御部６３は反射光の強度変化から同様に情報を検出することができる。このオフトラッキングでは、例えば、光ヘッド６６を固定して光ディスク１００を走査することによって情報を検出できる。
【００５４】
次に、この光ディスク１００のＢＣＡ領域のＢＣＡマーク１０４についてどのように改ざんされるか検討する。改ざんの方法としては、上述のようにトラッキングを行いながら改ざんされる第１の方法と、オフトラッキングで改ざんされる第２の方法とが考えられる。トラッキングを行いながら改ざんされる第１の方法に対しては、ＢＣＡ領域１０１のトラックピッチｄ１を再生専用領域１０２（図１）または記録再生領域１０３（図１）のトラックピッチに対して数倍以上広く、好ましくは５倍以上広く設定しておく。このＢＣＡ領域１０１のトラックピッチｄ１は、光ヘッドのスポット径に対し十分大きいことが好ましい。これによって、第三者が、たとえＣＤ−ＲまたはＣＤ−ＲＷドライブ装置等の、情報を記録できるドライブ装置によりＢＣＡマーク１０４の改ざんを試みても、ＢＣＡ領域１０１の全体にわたって改ざんすることは困難である。また、オフトラッキングで改ざんされる第２の方法においては、改ざん時に光ヘッド６６の軌跡１１２ｂがグルーブ１１０に沿って移動しないため、オリジナルのＢＣＡマーク１０４がグルーブ１１０に沿った領域に残存する場合がある。
【００５５】
さらに、ＢＣＡマーク１０４の改ざんの有無を検出する方法について検討する。上述のようにこの光ディスク１００では、ＢＣＡ領域のトラックピッチｄ１を所定範囲に設定しておくことでＢＣＡ領域１０１の全体にわたる改ざんを防ぐことができる。しかし、従来のようにトラッキングしながらＢＣＡマークを読み取る場合には、不正ＢＣＡマーク１１４を読み取る場合があるが、読み取ったマーク情報の改ざんの有無を判断できなかった。今回、本発明者は、オフトラッキングでＢＣＡマークを読み取った場合には、トラッキングしながらＢＣＡマークを読み取った場合とは異なる箇所を読み取ることを見出した。本発明に係る光ディスクの再生方法は、トラッキング時にＢＣＡマークを読みとって得られるマーク情報と、オフトラッキング時にＢＣＡマークを読みとって得られるマーク情報とを比較することで改ざんの有無を検出することを特徴とする。
【００５６】
そこで、この光ディスク１００のＢＣＡ領域１０１におけるＢＣＡマーク１０４の改ざんの有無を判断し、改ざんされていない場合にのみ光記録媒体を再生する方法について説明する。
（ａ）ＢＣＡ領域１０１のプリグルーブ１１０にトラッキングをしないで、すなわちオフトラッキングで、光ヘッド６６でＢＣＡマーク１０４を読み出し、オフトラッキング時のマーク情報を取得する。
（ｂ）ＢＣＡ領域１０１のトラックをトラッキングして、光ヘッド６６でＢＣＡマーク１０４を読み出し、トラッキング時のマーク情報を取得する。
（ｃ）制御部６３は、オフトラッキング時に再生されるマーク情報の再生波形と、トラッキング時に再生されるマーク情報の再生波形とを比較する。
（ｄ）上記比較の結果、互いの再生波形が異なる場合には、ＢＣＡマークに対して、上述した第１の改ざん例又は第２の改ざん例のいずれかの改ざんが試みられていると認識できる。トラッキング時のマーク情報とオフトラッキング時のマーク情報との両者が一致する場合のみ、再生装置６０の制御部６３は、そのディスクが正規のディスクであると識別する。
（ｅ）その結果、例えば、再生専用領域１０２に記録された情報の再生を許可する。一方、両者が一致しない場合には、制御部６３は、不正な処理がされたディスクであると識別し、光ディスクの再生を禁止できる。なお、いずれの再生波形から取得してもよいが、まずトラッキングをすることなくマークを読み出し、その後、トラッキングを行ってマークを読み出すのが一般的である。
【００５７】
なお、オフトラッキング時にＢＣＡマークを読み取る場合に、光ヘッドがトラッキング時の軌跡１１２ａと異なる軌跡１１２ｂをとるのは、記録再生システムにおける回転の中心と光記録媒体の中心とがずれている、いわゆる偏心が原因である。この偏心量はおよそ±５０μｍあり、オフトラッキング時の軌跡１１２ｂは、トラッキング時の軌跡１１２ａと比べると、偏心量の分だけグルーブ１１０から半径方向にわたって外れてしまう。そのため、オフトラッキング時には、トラッキング時に走査するグルーブ１１０周辺以外のランド１２０の部分も走査する。
【００５８】
また、上記第１の改ざん例と第２の改ざん例について、上記トラッキング時とオフトラッキング時に得られるマーク情報の比較で改ざんの有無を検出する方法についてそれぞれ説明する。まず、第１の改ざん例において、プリグルーブにトラッキングをしながら改ざんされた場合には、図１１に示すように、プリグルーブ部分が改ざんされて不正ＢＣＡマーク１１４が書き込まれる。しかし、各トラック間（ランド）１２０にはオリジナルのＢＣＡマーク１０４が残留する。この結果、トラッキングしながらプリグルーブに沿ってＢＣＡマーク１０４を再生した際には、軌跡１１２ａはグルーブ１１０に沿っているため、改ざんされた不正ＢＣＡマーク１１４によるマーク情報が読み取られる。一方、オフトラッキング時の軌跡１１２ｂは、グルーブ１１０から偏心量の分だけ半径方向にずれているため、不正マーク１１４を読み取る場合と、残存するオリジナルのＢＣＡマーク１０４を読み取る場合がある。この場合、読み取られるマーク情報は、オリジナルのＢＣＡマーク１０４からのマーク情報と不正ＢＣＡマークからのマーク情報とを含んでおり、トラッキング時に読み取られるマーク情報とは異なる。そこで、それぞれのマーク情報を比較し、互いに異なる場合には改ざんされていると判断できる。
【００５９】
次に、第２の改ざん例では、オフトラッキング時に改ざんされているので、上記第１の改ざん例とは逆に、オフトラッキング時に得られるマーク情報が不正ＢＣＡマーク１１４に基づくものであって、トラッキング時に得られるマーク情報がオリジナルのＢＣＡマーク１０４からのマーク情報と不正ＢＣＡマークからのマーク情報とが混在するマーク情報である。そこで、両者のマーク情報を比較し、互いに異なる場合には改ざんされていると判断できる。
【００６０】
上述の通り、本発明は好ましい実施形態により詳細に説明されているが、本発明はこれらに限定されるものではなく、以下の特許請求の範囲に記載された本発明の技術的範囲内において多くの好ましい変形例及び修正例が可能であることは当業者にとって自明なことであろう。
【図面の簡単な説明】
【００６１】
【図１】本実施の形態による光ディスクの上面図である。
【図２Ａ】光ディスクの原盤作製の一工程を示す図である。
【図２Ｂ】光ディスクの原盤作製の一工程を示す図である。
【図２Ｃ】光ディスクの原盤作製の一工程を示す図である。
【図２Ｄ】光ディスクの原盤作製の一工程を示す図である。
【図２Ｅ】光ディスクの原盤作製の一工程を示す図である。
【図３Ａ】トラックピッチ切り替え部分の第１の例である。
【図３Ｂ】トラックピッチ切り替え部分の第２の例である。
【図３Ｃ】トラックピッチ切り替え部分の第３の例である。
【図４Ａ】スタンパを作成する一工程の概略図である。
【図４Ｂ】スタンパを作成する一工程の概略図である。
【図４Ｃ】スタンパを作成する一工程の概略図である。
【図４Ｄ】スタンパを作成する一工程の概略図である。
【図４Ｅ】スタンパを作成する一工程の概略図である。
【図４Ｆ】スタンパを作成する一工程の概略図である。
【図５Ａ】スタンパから光ディスクを作成する一工程の概略図である。
【図５Ｂ】スタンパから光ディスクを作成する一工程の概略図である。
【図５Ｃ】スタンパから光ディスクを作成する一工程の概略図である。
【図５Ｄ】スタンパから光ディスクを作成する一工程の概略図である。
【図５Ｅ】スタンパから光ディスクを作成する一工程の概略図である。
【図５Ｆ】スタンパから光ディスクを作成する一工程の概略図である。
【図６】本実施の形態による再生装置の構成を示すブロック図である。
【図７Ａ】記録再生領域のトラッキングエラー信号の再生波形を示す波形図である。
【図７Ｂ】ＢＣＡマークが記録されているＢＣＡ領域のトラッキングエラー信号の再生波形を示す波形図である。
【図８】（ａ）は、ＢＣＡ領域のグルーブにおけるとバーコード状のマークを示す概略図であり、（ｂ）は、（ａ）のバーコード状のマークについて、光ヘッドで検出される反射光の強度変化を示す図であり、（ｃ）は、（ｂ）によって得られる再生信号の強度変化を示す図である。
【図９】本発明に係る光記録媒体において、ＢＣＡ領域のバーコード状のＢＣＡマークを示す概略図である。
【図１０】ＢＣＡ領域のＢＣＡマークの再生時における、トラッキング時とオフトラッキング時の光ヘッドの軌跡を示す概略図である。
【図１１】図９の光記録媒体におけるＢＣＡ領域のＢＣＡマークが改ざんされた場合の再生時における、トラッキング時とオフトラッキング時の光ヘッドの軌跡を示す概略図である。
【図１２】参考例の光記録媒体において、ＢＣＡ領域のバーコード状のＢＣＡマークを示す概略図である。
【図１３】図１２の光記録媒体におけるＢＣＡ領域のＢＣＡマークが改ざんされた場合の再生時における、トラッキング時とオフトラッキング時の光ヘッドの軌跡を示す概略図である。
【図１】
2005518055.tif 000003
【図２Ａ】
2005518055.tif 000004
【図２Ｂ】
2005518055.tif 000005
【図２Ｃ】
2005518055.tif 000006
【図２Ｄ】
2005518055.tif 000007
【図２Ｅ】
2005518055.tif 000008
【図３Ａ】
2005518055.tif 000009
【図３Ｂ】
2005518055.tif 000010
【図３Ｃ】
2005518055.tif 000011
【図４Ａ】
2005518055.tif 000012
【図４Ｂ】
2005518055.tif 000013
【図４Ｃ】
2005518055.tif 000014
【図４Ｄ】
2005518055.tif 000015
【図４Ｅ】
2005518055.tif 000016
【図４Ｆ】
2005518055.tif 000017
【図５Ａ】
2005518055.tif 000018
【図５Ｂ】
2005518055.tif 000019
【図５Ｃ】
2005518055.tif 000020
【図５Ｄ】
2005518055.tif 000021
【図５Ｅ】
2005518055.tif 000022
【図５Ｆ】
2005518055.tif 000023
【図６】
2005518055.tif 000024
【図７Ａ】
2005518055.tif 000025
【図７Ｂ】
2005518055.tif 000026
【図８】
2005518055.tif 000027
【図９】
2005518055.tif 000028
【図１０】
2005518055.tif 000029
【図１１】
2005518055.tif 000030
【図１２】
2005518055.tif 000031
【図１３】
2005518055.tif 000032
【国際調査報告】
2005518055.tif 000033
2005518055.tif 000034
2005518055.tif 000035